(57)【特許請求の範囲】
【請求項１】
竿に対して下向きに取り付けられるリール本体と、該リール本体から左右方向一側方に向けて突設した支軸に回転自在に支持されるスプールと、該スプールを回転するためのハンドルと、該ハンドルの回転に対してスプールの回転を増速させるための増速機構とを備えて構成される魚釣り用リールにおいて、前記支軸先端部とリール本体のスプール外周を越えたリール本体外周部とを、スプールのリール本体とは反対側面に配した支持部材を介して一体的に支持するにあたり、支持部材は、前記増速機構が設けられるケーシングであって、該ケーシングの一端部を支軸先端部に、他端部をリール本体外周部にそれぞれ支持したことを特徴とする魚釣り用リール。
【請求項２】
請求項１において、ケーシング他端部のリール本体支持位置は、該リール本体の下半部位置であることを特徴とする魚釣り用リール。
【請求項３】
請求項１または２において、ケーシングに回転自在に支持されるハンドル軸は、ケーシングの一端部と他端部とのあいだに位置して設けられていることを特徴とする魚釣り用リール。
【請求項４】
請求項１乃至３の何れか１において、ケーシングの他端部は、リール本体に対し支軸を軸心とする軸回りに位置移動自在に支持されることを特徴とする魚釣り用リール。
【請求項５】
請求項４において、ケーシング他端部のリール本体支持位置は、真下位置と、少なくとも該真下位置の前後方向少なくとも一方位置に設けられていることを特徴とする魚釣り用リール。
【請求項６】
請求項３において、支軸には、内外輪を有する一方向回転機構の内輪が回転自在に軸支され、一方向回転機構は、外輪が内輪に対してスプールのライン巻き取り方向の回転は自由回転し、ライン繰り出し方向の回転は同時回転するように構成され、一方向回転機構の外輪には、スプールの中心部に形成した筒状部が一体回転するよう回り止めされる状態で外嵌し、該筒状部の先端に支軸が貫通する貫通孔が形成され、増速機構は、ハンドル軸に支持される大径の第一ギアと、貫通孔の外周面部に支持される小径の第二ギアとを噛合して構成されていることを特徴とする魚釣り用リール。
【発明の詳細な説明】
【０００１】
【発明の属する技術分野】
本発明は、ルアー釣りやチヌ（黒鯛）釣り用のリールとして用いられることが多い片軸受型の魚釣り用リールの技術分野に属するものである。
【０００２】
【従来技術】
今日、この種、片軸受型のリールとして、竿側に下向きで支持されるリール本体から片持ち状に支軸を突設し、該支軸にスプールを回動自在に軸支したものがある。そしてこのもののなかには、ハンドルをスプールから直接突設せしめ、該ハンドルの回転操作によってスプールの回転をするようにしたものがあり、この場合、ハンドルとスプールの回転は同期するためどうしてもスプールの回転速度が遅いという問題がある。
そこで従来、ハンドルとスプールとのあいだに増速機構を介在し、ハンドルの一回転に対してスプールを例えば二回転させるように増速したハイスピード型のものがある。このものは例えば図９、１０に示すように、竿２に下向きに支持されるリール本体２１から支軸２２を突設し、該支軸２２に回転自在に軸支したボス軸２３には、第一ギア２４を一体的に設ける一方、スプール２５に止着せしめた第二ギア２６が回転自在に軸支されている。また前記リール本体２１には補助軸２７を突設し、該補助軸２７に、前記第一ギア２４に噛合する増速ギア（歯数が第一ギア２４よりも少なく増速回転する）２８と、第二ギア２６に噛合する中間ギア２９とが互いに一体回転するよう固着される状態で回転自在に軸支されている。一方、スプール２５に回転自在に支持されるハンドル３０のボス筒３０ａは、支軸２２に対して回転自在に外嵌し、その先端部が前記ボス軸２３に噛合いクラッチ機構３１により係脱自在に係合している。そしてハンドル３０を回転すると、該回転がボス筒３０ａ→ボス軸２３→第一ギア２４→増速ギア２８→中間ギア２９→第二ギア２６→スプール２５に伝達されてスプール２５が回転することになるが、該スプール２５の回転は、前記増速ギア２８で増速される（例えば２倍速に増速される）ことになってラインの高速巻取ができるようにしてある。
【０００３】
ところが前記従来のハイスピード型のリールは、スプール２５のリム部２５ａとリール本体２１とのあいだのスペースに増速ギア機構を配する構造のため、リム部２５ａおよびスプール外周に形成されるライン巻き部２５ｂを増速ギア機構に干渉しないようにする必要があり、このためスプール形状に制限を受けることになって、リム部２５ａがハンドル３０側に偏寄した形状にならざるを得ないだけでなく、ライン巻き部２５ｂの底面２５ｃの径が大径になってラインの巻き量が少ないという問題がある。
しかも前記従来のものは、スプール２５が支軸２２に対してボス筒３０ａを介在する状態で片持ち支持される構造になるため負荷を受けたときに発生する軸受部の撓みと、前記二段のギア噛合部に各存在するバックラッシュとによってスプール２５の支持に大きなガタが発生し、どうしても動力伝導性が低下してラインを巻くときの操作性が損なわれるという問題もある。
そのうえ前記従来のものは、二段のギア噛合部があるため、ハンドル３０とスプール２５の回転方向が同じになり、チヌ釣りの場合に多用される竿に対して下向きにリールを取付けた場合、図１０に示すように、ラインＬはスプール２５の下端側から巻き込まれることになり、このものにおいてラインＬにフケが発生すると、ラインＬがスプール２５から外れ易くこの点においても操作性が悪いという問題がある。
さらにまた、このような釣りでは、竿を持つ手（通常、右利きの人は左手）の親指Ｔでスプール２５の外周外側面を押さえる等してリールのドラグ機能を果たしたり、微妙なラインの送り込みや巻き取りをすること（サミング）があるが、前記従来のものは、ハンドル３０がスプール２５の中心から径方向に突出し、その先端に摘み３０ｂが位置することになって前記スプール２５の外周外側面に近く、このため親指操作の邪魔になるという問題もあり、これらに本発明が解決せんとする課題がある。
【０００４】
【課題を解決するための手段】
本発明は、上記の如き実情に鑑みこれらの課題を解決することを目的として創作されたものであって、請求項１の発明は、竿に対して下向きに取り付けられるリール本体と、該リール本体から左右方向一側方に向けて突設した支軸に回転自在に支持されるスプールと、該スプールを回転するためのハンドルと、該ハンドルの回転に対してスプールの回転を増速させるための増速機構とを備えて構成される魚釣り用リールにおいて、前記支軸先端部とリール本体のスプール外周を越えたリール本体外周部とを、スプールのリール本体とは反対側面に配した支持部材を介して一体的に支持するにあたり、支持部材は、前記増速機構が設けられるケーシングであって、該ケーシングの一端部を支軸先端部に、他端部をリール本体外周部にそれぞれ支持したことを特徴とする魚釣り用リールである。
そしてこのようにすることで、外観を片軸受型のリールとしながら、支軸はリール本体に対して両持ち支持される構造にできて歪みやガタ発生のない安定したリールとすることができると共に、増速機構がスプールのハンドル本体とは反対側に配されることになって、従来のようにスプールリムとリール本体との間の空間内に配する必要がなく、スプールリブ部とライン巻き部底面の設計度の自由が確保され、ライン巻き量を多くすることが、増速機構が設けられるケーシングを有効利用してできる。
請求項２の発明は、請求項１において、ケーシング他端部のリール本体支持位置は、該リール本体の下半部位置であることを特徴とする魚釣り用リールである。このようにすることで、ケーシングが竿を把持する手の親指操作の邪魔になることを回避できる。
請求項３の発明は、請求項１または２において、ケーシングに回転自在に支持されるハンドル軸は、ケーシングの一端部と他端部とのあいだに位置して設けられていることを特徴とする魚釣り用リールである。このようにすることで、ハンドルの回転領域を親指操作の邪魔にならない下側に位置させることができる。
請求項４の発明は、請求項１乃至３の何れか１において、ケーシングの他端部は、リール本体に対し支軸を軸心とする軸回りに位置移動自在に支持されることを特徴とする魚釣り用リールである。このようにしたときには、操作者の好みに応じたハンドルは位置ができることになって操作性が向上する。
請求項５の発明は、請求項４において、ケーシング他端部のリール本体支持位置は、真下位置と、少なくとも該真下位置の前後方向少なくとも一方位置に設けられていることを特徴とする魚釣り用リールである。
請求項６の発明は、請求項３において、支軸には、内外輪を有する一方向回転機構の内輪が回転自在に軸支され、一方向回転機構は、外輪が内輪に対してスプールのライン巻き取り方向の回転は自由回転し、ライン繰り出し方向の回転は同時回転するように構成され、一方向回転機構の外輪には、スプールの中心部に形成した筒状部が一体回転するよう回り止めされる状態で外嵌し、該筒状部の先端に支軸が貫通する貫通孔が形成され、増速機構は、ハンドル軸に支持される大径の第一ギアと、貫通孔の外周面部に支持される小径の第二ギアとを噛合して構成されていることを特徴とする魚釣り用リールである。このようにしたときには、構造の簡略化が計れることになる。
【０００５】
【発明の実施の形態】
次ぎに、図面の記載に基づいて本発明の実施の形態について説明する。図面において、１は魚釣り用のリールであって、該リール１は、竿２に下向きに取付けられるリール本体３と該リール本体３に回転自在に取付けられるスプール４とを備えて構成されている。ここにおいて、前記リール本体３は、円盤状に形成され、その上端外側面にリール１を竿２に止着するためのスタンド５が固着されている。さらにリール本体３の外周縁上側には、スプール４の外径側に位置するスタンド５の竿組付け部５ａとオーバーラップする状態でフケたラインがスプール４から外れるのを防止するためスプール４の反リール本体側にまで至る外れ防止片３ａが軸方向に向けて突設され、また下側には、スタンド５の真下位置およびその前後には、リール本体３から片持ち状に突出した支軸６を中心とした同芯になるよう後述するギアケース支持片３ｂ、３ｃ、３ｄが軸方向スプール４側に向けて突設されている。
【０００６】
前記リール本位３の中心部には支軸６の基端部が固着され、該支軸６には、一方向回転機構（本実施の形態では、内輪７ａと外輪７ｂとのあいだに形成される傾斜カム面に円柱７ｃを介装し、内輪７ａに対する外輪７ｂの回転を、一方向の回転では円柱７ｃがカム面間に遊転する回転状態となって自由であるが、他方向の回転では円柱７ｃがカム面間に挟持される止め状態となって一体回転するように構成したものを採用するが、一方向回転機構であればこれに限定されるものではない）７の内輪７ａが回転自在に軸支されているが、さらに一方向回転機構７とリール本体３とのあいだには、ドラグ受けギア８が内輪７ａと一体回転する状態で支軸６に回転自在に軸支されている。また、９はリール本体３に取付けられるドラグギアであって、該ドラグギア９は、ドラグ受けギア８に噛合し、リール本体３の外側面に組込んだ調節摘み１０の回動操作によって回転抵抗（制動抵抗）が可変する状態でスプール４のライン巻き出し側の自由回転に可変の抵抗（制動、ブレーキ）を付加するようになっているが、その具体的構成については周知のものを採用しており、ここではその詳細を省略する。尚、１１は弾機１１ａを介してリール本体３に取付けられる発音体であって、該発音体１１は、ドラグ受けギア８のギア歯に当接し、ドラグ受けギア８が回転することで当接しているギア歯を乗り越えて次のギア歯に衝接し、このとき「カチッ」という衝突音を発生するように設定されている。
【０００７】
一方、前記スプール４には、リール本体３側の中心部に多角（本実施の形態では六角）筒状になった筒状部４ａが形成され、該筒状部４ａが前記一方向回転機構７の前記多角に対応する外周形状になった外輪７ｂに内嵌するようになっているが、外輪７ｂと筒状部４ａとが斯かる多角面同志の嵌合をすることによりスプール４と外輪７ｂとは一体回転するようになっている（このような一体回転機構は、多角嵌合に限定されずキー嵌合等、通常知られた適宜の機構を採用できることは言うまでもない）。また、スプール４の筒状部４ａの先端には、前記支軸６が回転自在に貫通する貫通孔４ｂが穿設されると共に、スプール外側に位置して後述する小径の第二ギア１２が一体となるよう止着されている。
【０００８】
１３はギアケース（本発明の支持部材を兼ねるケーシングに相当する）であって、該ギアケース１３の中間部にはハンドル１４の支軸１４ａが回転自在に支持されているが、支軸１４ａの内端には大径の第一ギア１５が一体的に止着されている。ギアケース１３の一端部（上端部）には、前記貫通孔４ｂを貫通した支軸６の先端に穿設したギア孔６ａに対向する貫通孔１３ａが穿設される一方、他端部（下端部）には、前記各ギアケース支持片３ｂ、３ｃ、３ｄに設けたギア孔３ｅ、３ｆ、３ｇに選択的に対向する貫通孔１３ｂが穿設されている。そしてギアケース１３は、一端部側の貫通孔６ａを支軸６に対向させ、他端部側の貫通孔６ｂをギア孔３ｅ、３ｆ、３ｇのいずれかに選択対向させ、これら貫通孔６ａ、６ｂを各貫通する止め螺子１６、１７をギア孔６ａ、および選択されたギア孔３ｅ、３ｆ、３ｇに螺入することで支軸６と選択されたギアケース支持片３ｂ、３ｃ、３ｄとのあいだに懸架状に介装取付けされるようになっている。そしてこのように取付けることで、前記第二ギア１２がギアケース１３に内装されて第一ギア１５、第二ギア１２同志が噛合する共に、ハンドル１４は、その支軸１４ａがスプール４の中心位置である支軸６の下側に位置し、該支軸６と選択された下側ギアケース支持片３ｂ、３ｃ、３ｄのいずれかとのあいだに配する状態で組込まれ、該ハンドル１４を矢印Ｙ方向で示すように上側から手先方向下側に回転させる通常のライン巻き取り操作をすると、スプール４は大径の第一ギア１５から小径の第二ギア１２に動力伝動されて増速（例えば２倍速に増速）回転すると共に、その回転方向は反矢印Ｙ方向に回転し、これによってラインＬはスプール４の上側（竿２側）から巻き取られるように設定されている。
【０００９】
叙述の如く構成される本発明の実施の形態において、リール１は竿２に対して下向きに取り付けられることになり、この取り付け姿勢で、ハンドル１４をラインＬの巻き取り方向、つまり矢印Ｙ方向に回転せしめた場合に、該回転は、大径の第一ギア１５から小径の第二ギア１２を介してそのままスプール４を反矢印Ｙ方向に増速回転せしめることになってラインＬの巻き取りがなされる。このとき、スプール４の筒状部４ａが外嵌する一方向回転機構７の外輪７ｂは内輪７ａに対して自由回転することになるからドラグ力を受ける内輪７ａは回転することがなく、この結果、ドラグ力が働くことのないスプール回転とライン巻き取りとがなされることになる。これに対してスプール４が、ラインＬをスプール４から繰り出す矢印Ｙ方向に回転した場合、外輪７ｂは内輪７ａと一体回転することになり、これと連動するドラグ受ギア８の回転でドラグギア９が回転し、スプール４は回転制動となるドラグ力が与えられた回転をすると共に、カチカチカチとドラグ音が発音体１１から発せられることになる。
【００１０】
このように、本発明が実施された形態では、リール１は竿２に対して下向きに取り付けられることになり、しかもハンドル１４を回した場合にスプール４は増速される状態で回転することになるが、その場合の増速機構が設けられるギアケース１３はスプール４のリール本体３とは反対側のハンドル１４が配される側に配設され、かつ該配されたギアケース１３は、一端部が支軸６に、他端部がスプール４の外周を越えるようにしてリール本体３から突設したギアケース支持片１３ｂ、１３ｃ、１３ｄから選択されたものにそれぞれ支持されることになる。この結果、従来のように、増速機構の配設スペースをスプール４とリール本体３とのあいだのスペースに確保する必要がない外付けタイプとなってスプール４の形状の自由度の確保、具体的にはリム部４ｃがリール本体３側に寄ってリム部４ｃが目立たない形状にしたり、ライン巻き部４ｄの底面を深くしてラインの巻き量を多くした設定にするようなことが自由にできる。
【００１１】
そのうえ、スプール４を支持すべくリール本体３の中心部から突出する支軸６は、ギアケース１３を介してリール本体３の外周部に支持された二点支持（両持ち支持）構造になる結果、外見は左右方向一側にリール本体３があり、他側にスプール４が露出する従来の片軸受型と同じような形状になりながら、従来の片持ち支持構造のものに比して強度アップが達成されることになって安定性が増し、スプール４のガタ発生を低減できる。
しかもこのものは、ギア噛合部が、第一ギア１５と第二ギア１２との噛合という一段だけのものとなる結果、従来の二段のギア噛合部があるものに比してバックラッシュが低減し、ガタのない安定したものになる。
そしてこの支軸６の二点支持構造は、外付けとなる増速機構を設けるためのギアケース１３を有効に利用してできる結果、構造の簡略化、部品点数の低減が計れることになる。
【００１２】
そのうえこのものは、増速機構が一段のギア噛合だけの構成であるから、ハンドル１４とスプール４の回転方向が逆となり、そうしてハンドル１４を、上端から前下方に回転操作する矢印Ｙ方向のラインＬの巻上げ操作をしたとき、スプール４は逆矢印Ｙ方向、つまり、ラインＬが竿２に近い上端側においてスプール４に巻き取られることになり、このため、ラインＬにフケが生じたとして、該ラインＬのフケはスプール４の上側に乗る状態となって従来の下側から巻き取るもののようにスプール４から外れてしまうことを回避することができる。
【００１３】
またさらに、竿２を持つ手の親指Ｔでスプール４の外周部分を押さえて微妙なライン送り操作や巻き操作をしたりドラグ操作をしたりするようなサミング操作をすることがあるが、このものでは、ギアケース１３の他端部が支軸６よりも下側位置に支持されることで、該ギアケース１３は、前述したように外付けタイプとなりながら前記サミング操作する親指の邪魔になってしまうことがない。
【００１４】
そのうえ、ギアケース１３に支持されるハンドル軸１４ａは、支軸６よりも下側位置に配されている結果、ハンドル１４は、下取付けの構造となってハンドル回転の軌跡が下側に偏寄し、前述した親指操作の邪魔になることを回避し、操作性の高いものとなる。そしてハンドル１４は、増速機構が設けられるギアケース１３を取り付け部材として取り付けられるため、ギアケース１３がハンドル取り付け部材の機能を有することになって兼用化される。
しかもハンドル軸１４ａは、ギアケース１３の中間部、つまり支軸６に支持される一端部とリール本体３に支持される他端部とのあいだに設けられている結果、ハンドル操作のバランスが保たれ、更なる操作性の向上が計れる。
【００１５】
しかもこのものでは、ギアケース１３の他端部は、リール本体３に対し支軸６を軸心とする軸回りに配したギアケース支持片３ｂ、３ｃ、３ｄのいずれかを選択して支持できる結果、この選択により、ハンドル１４の位置を使用者が好む位置に自由にセットできることになって一段と操作性が向上する。この場合に、ギアケース１３は、真下を向くギアケース支持片３ｃと、その前後のギアケース支持片３ｂ、３ｄとの何れかの択一選択をした支持ができ、選択の自由度が向上する。
さらにこの場合に、リール本体３の外周部には、ギアケース１３の他端部を支持するためのギアケース支持片３ｂ、３ｃ、３ｄが軸方向ハンドル側に突設されている結果、リール本体３の剛性化が計れると共に、ギアケース１３他端側の安定した支持ができることになる。
【００１６】
さらにまたこのものでは、支軸６には、内外輪を有する一方向回転機構７の内輪７ａが回転自在に軸支されるが、該内輪７ａは、外輪７ｂよりもリール本体３側で該リール本体３に設けたドラグギア９に噛合して回転抵抗が与えられ、外輪７ｂが、スプール４の中心部に形成した筒状部４ａに回り止めされる状態で外嵌し、該筒状部４ａの先端に支軸が貫通する貫通孔４ｂが形成され、貫通孔４ｂの外周面部に第二ギア１２が支持されている結果、ドラグ機構と増速機構とを備えながら構造の簡略化が計れる。しかも筒状部４ａは、リール本体３側にドラグ機構が配される結果、外輪７ｂのみを内嵌すればよくなって小径のものにでき、スプール４の外観を損なうことがない。
【図面の簡単な説明】
【図１】（Ａ）は魚釣り用リールの正面図、（Ｂ）は同背面図、（Ｃ）は同側面図である。
【図２】魚釣り用リールの断面図である。
【図３】魚釣り用リールを竿に取付けた状態を示す正面図である。
【図４】（Ａ）はリール本体の正面図、（Ｂ）は同背面図、（Ｃ）は同側面図である。
【図５】（Ａ）はスプールの正面図、（Ｂ）は同背面図、（Ｃ）は同側面図である。
【図６】（Ａ）はギアケースの正面図、（Ｂ）は同背面図、（Ｃ）は同側面図、（Ｄ）は同断面図である。
【図７】リール本体にスプールを組付けた状態を示す正面図である。
【図８】ギアケースの組付け位置を変えた状態を示すリールの正面図である。
【図９】従来のリールの正面図である。
【図１０】従来のリールの断面図である。
【符号の説明】
１    リール
２    竿
３    リール本体
３ｂ、３ｃ、３ｄ  ギアケース支持片
４    スプール
４ａ  筒状部
４ｂ  貫通孔
６    支軸
７    一方向回転機構
７ａ  内輪
７ｂ  外輪
１２    第二ギア
１３    ギアケース
１４    ハンドル
１５    第一ギア
１６、１７  止め螺子
【図１】
0004008281.tif 000002
【図２】
0004008281.tif 000003
【図３】
0004008281.tif 000004
【図４】
0004008281.tif 000005
【図５】
0004008281.tif 000006
【図６】
0004008281.tif 000007
【図７】
0004008281.tif 000008
【図８】
0004008281.tif 000009
【図９】
0004008281.tif 000010
【図１０】
0004008281.tif 000011